(57)【特許請求の範囲】
【請求項１】
所定のキーの操作により該所定のキーに対応されて記憶されたチャンネルのテレビ放送波を受信するテレビ受信機において、
複数の受信チャンネルからなるチャンネルグループが複数登録された登録手段と、
前記登録手段に登録されるチャンネルグループの受信チャンネルを設定する操作を行うための設定手段と、
前記登録手段に記憶された複数のチャンネルグループの中から掃引すべきチャンネルグループを指定する指定手段と、
前記指定手段により指定されたチャンネルグループのチャンネルのみを掃引する掃引手段と、
前記掃引手段によるチャンネルの掃引で、受信レベルが所定の基準レベルより大きいチャンネルを所定のキーに対応させて記憶する記憶手段とを備えたことを特徴とするテレビ受信機。
【発明の詳細な説明】
【０００１】
【発明の属する技術分野】
本発明は、受信可能なチャンネルを所定のキーに対応して登録する処理が短時間で行える受信機に関する。
【０００２】
【従来の技術】
テレビ受信機では受信状態のよいチャンネルを予め所定のプリセットキーに対応させて登録し、受信時にはそのプリセットキーを操作するだけで所望のチャンネルが受信できるようになっている。しかし、車載用のテレビ受信機では走行地域により受信可能なチャンネルが異なるために、ある地域で受信可能なチャンネルをプリセットしても別の地域では受信できないことがある。そこで、チャンネルのプリセット操作を頻繁に実行する必要がある。この煩わしい操作を自動的に行わせるために、オートプリセット機能が設けられており、オートプリセットキーを操作すると、テレビ受信を中止して自動的に受信チャンネルを１ｃｈから６２ｃｈまで１チャンネル毎に掃引して、受信レベルを検出する。そして、プリセットキーの個数（例えば、６個）分だけ、受信レベルの高いチャンネルから順次登録するようになっている。
【０００３】
【発明が解決しようとする課題】
従来の車載用のテレビ受信機においては、オートプリセットの実行が指示されると、チューナの受信チャンネルを順次変更してレベル検出、判定を行い、受信レベルの高いチャンネルを所定のプリセットキー番号に対応させて順次登録するので、オートプリセットを行っている間は、チューナは受信チャンネルの掃引に使用され、テレビ放送を視聴することができないという問題がある。特に、このようなテレビ放送波においては、１ｃｈから６２ｃｈまで２０秒程度かかってしまい、そのオートプリセット時間が長くなってしまう。
【０００４】
本発明は、オートプリセットのために視聴が妨げられる時間を短縮した受信機を提供することを目的とする。
【０００５】
【課題を解決するための手段】
上記目的を達成するために本発明は、所定のキーの操作により該所定のキーに対応されて記憶されたチャンネルのテレビ放送波を受信するテレビ受信機において、
複数のチャンネルからなるチャンネルグループが複数登録された登録手段と、
所望の受信チャンネルを前記登録手段に設定するための設定手段と、
前記登録手段に記憶された複数のチャンネルグループの中から掃引すべきチャンネルグループを指定する指定手段と、
前記指定手段により指定されたチャンネルグループのチャンネルのみを掃引する掃引手段と、
前記掃引手段によるチャンネルの掃引で、受信レベルが所定の基準レベルより大きいチャンネルを所定のキーに対応させて記憶する記憶手段とを備えたことを特徴とする。
【０００６】
前記登録手段に登録されたチャンネルグループのチャンネルを設定操作するための設定手段を備えることを特徴とする。
【０００７】
【実施例】
図１は本発明の一実施例のテレビ受信機の構成を示すブロック図で、（ａ）は全体図、（ｂ）は操作部４の構成図である。以下、図に従って説明する。
１はテレビ受信部で、テレビ放送波を受信するチューナ１１、検波回路１２、周波数を設定するＰＬＬ回路１３、受信した音声信号を左右のステレオ信号に分離し増幅してスピーカに出力する音声出力部１４、受信した映像信号からＲ、Ｇ、Ｂ信号を生成し液晶等に表示する表示部１５、検波された受信レベルを検出するレベル検出部１６から構成される。３は受信チャンネルの登録、プリセットキーに対応した受信周波数をＰＬＬ回路１３に指示する制御部である。
【０００８】
４はプリセット登録操作を行う押し釦スイッチ（キー）等からなる操作部で、自動的にプリセットを実行するように指示するためのオートプリセットキー４１、所定のキーを押すことにより対応して記憶されたチャンネルを受信するプリセットキー４２（キー番号１〜６）、掃引するチャンネル領域を指定するための領域指定キー４３ａ〜４３ｃ等で構成される。尚、操作部４のキー説明はオートプリセット処理に関係するもののみを記している。
【０００９】
図２は本発明の一実施例のテレビ受信機の制御部の行う処理のフローチャートである。以下、図に従って説明する。尚、本例は、予め掃引すべきチャンネル領域が１〜１２ｃｈ（Ａ領域）、１３〜４０ｃｈ（Ｂ領域）、４１〜６２ｃｈ（Ｃ領域）の３グループに分割されており、オートプリセットが指示された時点で、いずれかのグループに該当するチャンネル領域のみを掃引するものである（以下、４１〜６２ｃｈが指定された場合を例に述べる）。テレビ放送では地域により概略の受信チャンネルが特定の領域に集中しており、例えば、東京、大阪等の大都市ではＶＨＦ（１ｃｈ〜１２ｃｈ）、地方都市ではＵＨＦの低域、ＵＨＦの高域等のようになっていることが多いので、全チャンネル領域を掃引する必要が少ないことに着目したものである。また、本処理はオートプリセットキー４１及び領域指定キー４３ｃ（本例では）が操作された時点から開始する。
【００１０】
ステップＳ１１では、どのチャンネル領域が指定されたかを判断してステップＳ１２に移る。つまり、ユーザにより操作されたオートプリセットキー４１及び領域指定キー４３ａ〜４３ｃの状態で判断する。例えば、Ｃ領域に対応する操作キー４３ｃ（４１ｃｈ〜６２ｃｈ）が操作されたとする。
ステップＳ１２では、受信チャンネルを操作されたキーに対応するチャンネル領域の最初（下限）のチャンネルに設定してステップＳ１３に移る。つまり、４１ｃｈに設定する。
【００１１】
ステップＳ１３では、受信レベルを検出してステップＳ１４に移る。つまり、検波部１２の出力信号をレベル検出部１６で測定する。
ステップＳ１４では、受信レベルが基準レベルよりも大きいか否かを判断して基準レベルよりも大きければステップＳ１５に移り、受信レベルが基準レベルよりも小さければステップＳ１７に移る。つまり、良好に受信できる受信レベルであるか否かを判断する。
【００１２】
ステップＳ１５では、プリセットキーに対して記憶し、受信チャンネルを更新してステップＳ１６に移る。つまり、良好に受信できる放送局のチャンネルをプリセットキー４２のキー番号に対応して制御部３内のメモリに記憶する。そして、次のチャンネルを設定する。
ステップＳ１６では、操作されたキーに対応するチャンネル領域の最後のチャンネルか否かを判断して最後チャンネルであればステップＳ１８に移り、最後のチャンネルでなければステップＳ１７に移る。つまり、指定された領域の最後のチャンネルの６２ｃｈまで受信レベルの検出が完了したかを判断する。
【００１３】
ステップＳ１７では、次のチャンネルを設定してステップＳ１３に戻る。つまり、１つのチャンネルに対して良好に受信できるか否かの判断が完了したので、次のチャンネル（１チャンネル上）を設定する。そして、同様の処理（ステップＳ１３〜ステップＳ１７）を繰り返す。
尚、チャンネル掃引中に受信可能チャンネルがプリセットキーの数（本例では６個）よりも多くなった時には、受信レベルの低いチャンネルがプリセットから排除され、新規に受信レベルの高いチャンネルが登録される。
【００１４】
また、本例では、チャンネル領域を指定するために領域指定キー４３ａ〜４３ｃを新規に設けているが、既存のプリセットキー４２のキーを兼用してもよい。例えば、領域指定キー４３ａをプリセットキー４２の１番キーで代用する。さらに、領域指定はこれに限らず増やすことによりオートプリセットの時間が一層短縮できる。
【００１５】
以上説明したように本実施例では、テレビ放送の受信中にプリセットを行うが予め、地域毎に想定される限定されたチャンネル領域のみを掃引するので、オートプリセットに要する時間が短縮できる。
図３は本発明の他の実施例のテレビ受信機のオートプリセット処理を説明するための図で、（ａ）は掃引領域、（ｂ）は掃引領域指定画面、（ｃ）は掃引領域指定時のキー操作、（ｄ）はオートプリセット時のキー操作、（ｅ）は受信時のキー操作を示す図である。以下、図に従って説明する。本例は、予め指定したチャンネルのみを地域毎にグループ（群）として受信チャンネルの掃引領域を設定しておいて、オートプリセット開始時には、そのグループを指定することにより、指定されたグループに属するチャンネルのみを掃引するものである。
【００１６】
図３（ａ）のごとくＡ地域は１〜１２ｃｈ、Ｂ地区は１〜１２ｃｈと１９ｃｈ、Ｃ地域は４９〜６１ｃｈ、Ｄ地域は１〜１２ｃｈと４９〜６１ｃｈを掃引する領域とする場合について説明する。また、地域指定は対応するキー番号（プリセットキーを兼用する）で指定する。
先ず、掃引領域を指定する時（図３（ｃ）参照）は、オートプリセットキー４１を押し続けた後、１チャンネルを受信しプリセットキー４２の２番キーを押す、以下、同様にして１９チャンネルを受信しプリセットキー４２の２番キーを押し、完了を示すためにオートプリセットキー４１を押し続ける。この時テレビ画面には、図３（ｂ）のようにＢ地域として登録（２番キーに）されたチャンネルが表示される。
【００１７】
オートプリセットの実行を指示する場合には、どのチャンネル領域が指定されたかを判断して対応した処理を行うこと以外は先の実施例と同じであるので説明は省略する（図３（ｄ）参照）。例えば、オートプリセットキー４１に続いてプリセットキー４２の２番キーを押すことにより、Ｂ地域に対応する１〜１２ｃｈと１９ｃｈがチャンネル掃引の対象になる。
【００１８】
尚、プリセット受信する場合は、オートプリセット処理により登録されたプリセットキー４２のキー番号を操作する（押す）ことにより対応するチャンネルが受信できる（図３（ｅ）参照）。
以上説明したように本実施例では、比較的頻繁に受信領域を移動した場合に移動した地域に対応した地域をキー番号で指定することにより短時間でオートプリセットが可能になる。また、地域毎に細かに掃引チャンネルが指定でき、掃引されないチャンネルがなくなり、且つ、時間短縮が図られる。
【００１９】
【発明の効果】
以上説明したように、本発明では、オートプリセットのために視聴が妨げられる時間を短縮した受信機が提供できる。
【図面の簡単な説明】
【図１】本発明の一実施例のテレビ受信機の構成を示すブロック図である。
【図２】本発明の一実施例のテレビ受信機の制御部の行う処理のフローチャートである。
【図３】本発明の他の実施例のテレビ受信機のオートプリセット処理を説明するための図である。
【符号の説明】
１１・・・・チューナ、              １８・・・・レベル検出部、
１２・・・・検波回路、              ３・・・・・制御部、
１３・・・・ＰＬＬ回路、            ４・・・・・操作部、
１４・・・・音声出力部、            ４１・・・・オートプリセットキー、
１５・・・・表示部、                ４２・・・・プリセットキー、
１６・・・・メモリ、
４３ａ、４３ｂ、４３ｃ・・・・領域指定キー。
【図１】
0004128273.tif 000002
【図２】
0004128273.tif 000003
【図３】
0004128273.tif 000004